(57)【要約】【課題】良好な視野角特性を得ることができる垂直配向型の液晶表示素子を提供する。【解決手段】垂直配向型の液晶表示素子において、一方の基板２の内面に設けられた複数の画素電極４に、１つの画素を区分した４つの領域にそれぞれ対応させて、一方の偏光板の吸収軸１９ａに対して４５°の方向の複数のスリット２１，２２と、前記吸収軸１９ａに対して６０°の方向の複数のスリット２３，２４とを設け、他方の基板の内面に、４つの領域にそれぞれ対応させて、同じ領域に対応するスリットと平行な複数の凸条３１，３２，３３，３４を、前記スリットのピッチに対して１／２ピッチずれたピッチで設け、複数の画素毎に、電界による液晶分子の倒れ方向を、前記吸収軸１９ａに対して４５°の第１の角度で交差する方向に規定する第１の領域４１ａ，４１ｂと、電界による液晶分子の倒れ方向を、前記吸収軸１９ａに対して３０°の第２の角度で交差する方向に規定する第２の領域４２ａ，４２ｂとを形成した。【選択図】図１
2010008693.tif 000002
【特許請求の範囲】
【請求項１】
予め定めた間隙を設けて対向配置された一対の基板と、
前記一対の基板の対向する内面それぞれに設けられ、互いに対向する領域によりマトリックス状に配列する複数の画素を形成する電極と、
前記一対の基板の内面それぞれに前記電極を覆って設けられた垂直配向膜と、
前記一対の基板間の間隙に封入され、負の誘電異方性を有する液晶からなり、液晶分子が、前記配向膜の配向性により前記基板面に対して実質的に垂直に配向し、前記電極間に印加された電界により前記基板面に対して倒れ配向する液晶層と、
前記一対の基板の外面にそれぞれ配置された一対の偏光板と、
前記複数の画素における前記電界による液晶分子の倒れ方向を複数の方向に規定し、前記複数の画素毎に、少なくとも、前記液晶分子が、前記一対の偏光板のうちの一方の偏光板の光学軸に対して予め定めた第１の角度で交差する方向に倒れ配向する第１の領域と、前記液晶分子が、前記一方の偏光板の光学軸に対して前記第１の角度とは絶対値が異なる予め定めた第２の角度で交差する方向に倒れ配向する第２の領域とを形成する倒れ方向規定手段と、
を備えることを特徴とする液晶表示素子。
【請求項２】
倒れ方向規定手段は、第１の領域の液晶分子の倒れ方向を、一方の偏光板の光学軸に対して４５°±５°の角度で交差する方向に規定し、第２の領域の液晶分子の倒れ方向を、前記一方の偏光板の光学軸に対して６０°±７．５°または３０°±７．５°の角度で交差する方向に規定することを特徴とする請求項１に記載の液晶表示素子。
【請求項３】
倒れ方向規定手段は、複数の画素毎に、複数の第１の領域と、複数の第２の領域とを、これらの領域のうちの少なくとも１つの第１の領域と少なくとも１つの第２の領域とを互いに隣接させて形成することを特徴とする請求項１に記載の液晶表示素子。
【請求項４】
倒れ方向規定手段は、複数の第１の領域のうちの少なくとも１つの領域の液晶分子の倒れ方向と、他の第１の領域の液晶分子の倒れ方向とをそれぞれ、一方の偏光板の光学軸に対して一方の方向に第１の角度で交差する方向と、前記一方の偏光板の光学軸に対して他方の方向に前記第１の角度で交差する方向とに規定し、複数の第２の領域のうちの少なくとも１つの領域の液晶分子の倒れ方向と、他の第２の領域の液晶分子の倒れ方向とをそれぞれ、前記一方の偏光板の光学軸に対して一方の方向に第２の角度で交差する方向と、前記一方の偏光板の光学軸に対して他方の方向に前記第２の角度で交差する方向とに規定する特徴とする請求項３に記載の液晶表示素子。
【請求項５】
倒れ方向規定手段は、複数の画素毎に、液晶分子が、一方の偏光板の光学軸に対して予め定めた第１の角度で交差する方向に倒れ配向する第１の領域と、液晶分子が、前記一方の偏光板の光学軸に対して前記第１の角度とは絶対値が異なる予め定めた第２の角度で交差する方向に倒れ配向する第２の領域と、液晶分子が、前記一方の偏光板の光学軸に対して前記第１及び第２の角度とは絶対値が異なる予め定めた第３の角度で交差する方向に倒れ配向する第３の領域とを形成することを特徴とする請求項１に記載の液晶表示素子。
【請求項６】
倒れ方向規定手段は、第１の領域の液晶分子の倒れ方向を、一方の偏光板の光学軸に対して４５°±５°の角度で交差する方向に規定し、第２の領域の液晶分子の倒れ方向を、前記一方の偏光板の光学軸に対して６０°±７．５°の角度で交差する方向に規定し、第３の領域の液晶分子の倒れ方向を、前記一方の偏光板の光学軸に対して３０°±７．５°の角度で交差する方向に規定することを特徴とする請求項５に記載の液晶表示素子。
【請求項７】
倒れ方向規定手段は、複数の画素毎に、複数の第１の領域と、複数の第２の領域と、複数の第３の領域とを、これらの領域のうちの少なくとも１つの第１の領域と少なくとも１つの第２または第３の領域とを互いに隣接させて形成することを特徴とする請求項５に記載の液晶表示素子。
【請求項８】
倒れ方向規定手段は、複数の第１の領域のうちの少なくとも１つの領域の液晶分子の倒れ方向と、他の第１の領域の液晶分子の倒れ方向とをそれぞれ、一方の偏光板の光学軸に対して一方の方向に第１の角度で交差する方向と、前記一方の偏光板の光学軸に対して他方の方向に前記第１の角度で交差する方向とに規定し、複数の第２の領域のうちの少なくとも１つの領域の液晶分子の倒れ方向と、他の第２の領域の液晶分子の倒れ方向とをそれぞれ、前記一方の偏光板の光学軸に対して一方の方向に第２の角度で交差する方向と、前記一方の偏光板の光学軸に対して他方の方向に前記第２の角度で交差する方向とに規定し、複数の第３の領域のうちの少なくとも１つの領域の液晶分子の倒れ方向と、他の第３の領域の液晶分子の倒れ方向とをそれぞれ、前記一方の偏光板の光学軸に対して一方の方向に第３の角度で交差する方向と、前記一方の偏光板の光学軸に対して他方の方向に前記第３の角度で交差する方向とに規定する特徴とする請求項７に記載の液晶表示素子。
【請求項９】
一対の基板の内面それぞれに設けられた電極のうち、一方の基板に設けられた電極は、マトリックス状に配列された複数の画素電極、他方の基板に設けられた電極は、前記複数の画素電極と対向する対向電極であり、倒れ方向規定手段は、前記複数の画素電極それぞれに、電界による液晶分子の倒れ方向を異ならせる複数の領域にそれぞれ対応させて、予め定めたピッチで実質的に互いに平行に、且つ対応する前記領域の液晶分子の倒れ方向と実質的に直交する方向に沿わせて設けられた複数のスリットと、前記他方の基板の内面に、前記画素の複数の領域にそれぞれ対応させ、且つ同じ領域に対応する前記複数のスリットのピッチに対して実質的に１／２ピッチずれたピッチで前記スリットと実質的に平行に設けられた複数の凸条とにより形成されていることを特徴とする請求項１〜８のいずれかに記載の液晶表示素子。
【発明の詳細な説明】
【技術分野】
【０００１】
この発明は、垂直配向型の液晶表示素子に関する。
【背景技術】
【０００２】
液晶表示素子として、予め定めた間隙を設けて対向配置された一対の基板の対向する内面それぞれに、互いに対向する領域によりマトリックス状に配列する複数の画素を形成する電極と、前記電極を覆って形成された垂直配向膜とが設けられ、前記一対の基板間の間隙に、負の誘電異方性を有する液晶からなり、液晶分子が、前記配向膜の配向性により前記基板面に対して実質的に垂直に配向し、前記電極間に印加された電界により前記基板面に対して倒れ配向する液晶層が封入され、前記一対の基板の外面にそれぞれ偏光板が配置された垂直配向型のものがある。
【０００３】
この垂直配向型液晶表示素子は、ＴＮ（ツイステッドネマティック）型の液晶表示素子に比べて視野角特性が良く、また、明るい表示を行うことができる。
【０００４】
前記垂直配向型液晶表示素子において、前記電界による液晶分子の倒れ方向は、前記一対の基板の内面に、前記液晶分子の倒れ方向を規定するための倒れ方向規定手段を設けることにより、前記一対の基板の外面それぞれに配置された一対の偏光板のうちの一方の偏光板の光学軸に対して予め定めた角度、一般的には４５°の角度で交差する方向に規定されている。
【０００５】
さらに、前記垂直配向型液晶表示素子においては、視野角特性をさらに良くするために、前記複数の画素毎の液晶分子の倒れ方向を、前記一方の偏光板の光学軸に対して一方の方向と他方の方向とにそれぞれ４５°の角度で交差する２つの方向に規定し、前記複数の画素毎に、前記液晶分子が、前記一方の偏光板の光学軸に対して一方の方向に４５°の角度で交差する方向に倒れ配向する領域と、前記液晶分子が、前記一方の偏光板の光学軸に対して他方の方向に前記４５°の角度で交差する方向に倒れ配向する領域とを形成するようにしている（特許文献１参照）。
【特許文献１】特開２００７−５２２６４号公報
【発明の開示】
【発明が解決しようとする課題】
【０００６】
しかし、垂直配向型液晶表示素子では、十分に広い視野角特性を得ることができない。
【０００７】
この発明は、良好な視野角特性を得ることができる垂直配向型の液晶表示素子を提供することを目的としたものである。
【課題を解決するための手段】
【０００８】
この発明の請求項１に記載の液晶表示素子は、
予め定めた間隙を設けて対向配置された一対の基板と、
前記一対の基板の対向する内面それぞれに設けられ、互いに対向する領域によりマトリックス状に配列する複数の画素を形成する電極と、
前記一対の基板の内面それぞれに前記電極を覆って設けられた垂直配向膜と、
前記一対の基板間の間隙に封入され、負の誘電異方性を有する液晶からなり、液晶分子が、前記配向膜の配向性により前記基板面に対して実質的に垂直に配向し、前記電極間に印加された電界により前記基板面に対して倒れ配向する液晶層と、
前記一対の基板の外面にそれぞれ配置された一対の偏光板と、
前記複数の画素における前記電界による前記液晶分子の倒れ方向を複数の方向に規定し、前記複数の画素毎に、少なくとも、前記液晶分子が、前記一対の偏光板のうちの一方の偏光板の光学軸に対して予め定めた第１の角度で交差する方向に倒れ配向する第１の領域と、前記液晶分子が、前記一方の偏光板の光学軸に対して前記第１の角度とは絶対値が異なる予め定めた第２の角度で交差する方向に倒れ配向する第２の領域とを形成する倒れ方向規定手段と、
を備えることを特徴とする。
【０００９】
請求項２に記載の発明は、前記請求項１に記載の液晶表示素子において、前記倒れ方向規定手段は、前記第１の領域の液晶分子の倒れ方向を、前記一方の偏光板の光学軸に対して４５°±５°の角度で交差する方向に規定し、前記第２の領域の液晶分子の倒れ方向を、前記一方の偏光板の光学軸に対して６０°±７．５°または３０°±７．５°の角度で交差する方向に規定することを特徴とする。
【００１０】
請求項３に記載の発明は、前記請求項１に記載の液晶表示素子において、前記倒れ方向規定手段は、前記複数の画素毎に、複数の第１の領域と、複数の第２の領域とを、これらの領域のうちの少なくとも１つの第１の領域と少なくとも１つの第２の領域とを互いに隣接させて形成することを特徴とする。
【００１１】
請求項４に記載の発明は、前記請求項３に記載の液晶表示素子において、前記倒れ方向規定手段は、前記複数の第１の領域のうちの少なくとも１つの領域の液晶分子の倒れ方向と、他の第１の領域の液晶分子の倒れ方向とをそれぞれ、前記一方の偏光板の光学軸に対して一方の方向に第１の角度で交差する方向と、前記一方の偏光板の光学軸に対して他方の方向に前記第１の角度で交差する方向とに規定し、前記複数の第２の領域のうちの少なくとも１つの領域の液晶分子の倒れ方向と、他の第２の領域の液晶分子の倒れ方向とをそれぞれ、前記一方の偏光板の光学軸に対して一方の方向に第２の角度で交差する方向と、前記一方の偏光板の光学軸に対して他方の方向に前記第２の角度で交差する方向とに規定する特徴とする。
【００１２】
請求項５に記載の発明は、前記請求項１に記載の液晶表示素子において、前記倒れ方向規定手段は、前記複数の画素毎に、液晶分子が、前記一方の偏光板の光学軸に対して予め定めた第１の角度で交差する方向に倒れ配向する第１の領域と、液晶分子が、前記一方の偏光板の光学軸に対して前記第１の角度とは絶対値が異なる予め定めた第２の角度で交差する方向に倒れ配向する第２の領域と、液晶分子が、前記一方の偏光板の光学軸に対して前記第１及び第２の角度とは絶対値が異なる予め定めた第３の角度で交差する方向に倒れ配向する第３の領域とを形成することを特徴とする。
【００１３】
請求項６に記載の発明は、前記請求項５に記載の液晶表示素子において、前記倒れ方向規定手段は、前記第１の領域の液晶分子の倒れ方向を、前記一方の偏光板の光学軸に対して４５°±５°の角度で交差する方向に規定し、前記第２の領域の液晶分子の倒れ方向を、前記一方の偏光板の光学軸に対して６０°±７．５°の角度で交差する方向に規定し、前記第３の領域の液晶分子の倒れ方向を、前記一方の偏光板の光学軸に対して３０°±７．５°の角度で交差する方向に規定する。
【００１４】
請求項７に記載の発明は、前記請求項５に記載の液晶表示素子において、前記倒れ方向規定手段は、前記複数の画素毎に、複数の第１の領域と、複数の第２の領域と、複数の第３の領域とを、これらの領域のうちの少なくとも１つの第１の領域と少なくとも１つの第２または第３の領域とを互いに隣接させて形成することを特徴とする。
【００１５】
請求項８に記載の発明は、前記請求項７に記載の液晶表示素子において、前記倒れ方向規定手段は、前記複数の第１の領域のうちの少なくとも１つの領域の液晶分子の倒れ方向と、他の第１の領域の液晶分子の倒れ方向とをそれぞれ、前記一方の偏光板の光学軸に対して一方の方向に第１の角度で交差する方向と、前記一方の偏光板の光学軸に対して他方の方向に前記第１の角度で交差する方向とに規定し、前記複数の第２の領域のうちの少なくとも１つの領域の液晶分子の倒れ方向と、他の第２の領域の液晶分子の倒れ方向とをそれぞれ、前記一方の偏光板の光学軸に対して一方の方向に第２の角度で交差する方向と、前記一方の偏光板の光学軸に対して他方の方向に前記第２の角度で交差する方向とに規定し、前記複数の第３の領域のうちの少なくとも１つの領域の液晶分子の倒れ方向と、他の第３の領域の液晶分子の倒れ方向とをそれぞれ、前記一方の偏光板の光学軸に対して一方の方向に第３の角度で交差する方向と、前記一方の偏光板の光学軸に対して他方の方向に前記第３の角度で交差する方向とに規定する特徴とする。
【００１６】
請求項９に記載の発明は、前記請求項１〜８のいずれかに記載の液晶表示素子において、前記一対の基板の内面それぞれに設けられた電極のうち、一方の基板に設けられた電極は、マトリックス状に配列された複数の画素電極、他方の基板に設けられた電極は、前記複数の画素電極と対向する対向電極であり、前記倒れ方向規定手段は、前記複数の画素電極それぞれに、電界による液晶分子の倒れ方向を異ならせる複数の領域にそれぞれ対応させて、予め定めたピッチで実質的に互いに平行に、且つ対応する前記領域の液晶分子の倒れ方向と実質的に直交する方向に沿わせて設けられた複数のスリットと、前記他方の基板の内面に、前記画素の複数の領域にそれぞれ対応させ、且つ同じ領域に対応する前記複数のスリットのピッチに対して実質的に１／２ピッチずれたピッチで前記スリットと実質的に平行に設けられた複数の凸条とにより形成されていることを特徴とする。
【発明の効果】
【００１７】
この発明の垂直配向型液晶表示素子によれば、良好な視野角特性を得ることができる。
【発明を実施するための最良の形態】
【００１８】
（第１の実施形態）
図１〜図３はこの発明の第１の実施例を示しており、図１は垂直配向型液晶表示素子の一方の基板の一部分の平面図、図２は前記液晶表示素子の図１のII−II線に沿う断面図である。
【００１９】
この垂直配向型液晶表示素子は、図１及び図２に示したように、予め定めた間隙を設けて対向配置された一対の透明基板１，２と、前記一対の基板１，２の対向する内面それぞれに設けられ、互いに対向する領域により行方向（画面の左右方向）及び列方向（画面の上下方向）にマトリックス状に配列する複数の画素を形成する透明電極３，４と、前記一対の基板１，２の内面それぞれに前記電極３，４を覆って設けられた垂直配向膜１６，１７と、前記一対の基板１，２間の間隙に封入され、負の誘電異方性を有するネマティック液晶からなり、液晶分子１８ａが、前記配向膜１６，１７の配向性により前記基板１，２面に対して実質的に垂直に配向し、前記電極３，４間に印加された電界により前記基板１，２面に対して倒れ配向する液晶層１８と、前記一対の基板１，２の外面にそれぞれ配置された一対の偏光板１９，２０とにより構成されている。
【００２０】
なお、この液晶表示素子は、アクティブマトリックス液晶表示素子であり、前記一対の基板１，２の内面それぞれに設けられた前記電極３，４のうち、一方の基板、例えば観察側（図２において上側）とは反対側の基板（以下、後基板という）２に設けられた電極４は、予め定めた画素形状に対応する形状に形成され、マトリックス状に配列された複数の画素電極、他方の基板、つまり観察側の基板（以下、前基板という）１に設けられた電極３は、前記複数の画素の配列領域全体にわたって形成され、前記複数の画素電極４と対向する対向電極である。
【００２１】
そして、前記後基板２の内面には、前記複数の画素電極４にそれぞれ対応させて配置された複数のＴＦＴ（薄膜トランジスタ）５と、前記複数のＴＦＴ５に各行毎にゲート信号を供給する複数の走査線１１と、前記複数のＴＦＴ５に各列毎にデータ信号を供給する複数の信号線１２とが設けられている。
【００２２】
前記複数のＴＦＴ５はそれぞれ、前記後基板２の板面上に形成されたゲート電極６と、前記ゲート電極６を覆って前記複数の画素電極４の配列領域全体に形成された透明なゲート絶縁膜７と、前記ゲート絶縁膜７の上に前記ゲート電極６と対向させて形成されたｉ型半導体膜８と、前記ｉ型半導体膜８の一側部と他側部の上に図示しないｎ型半導体膜を介して形成されたドレイン電極９及びソース電極１０とからなっている。
【００２３】
また、前記複数の走査線１１は、前記後基板２の板面上に形成され、各行の複数のＴＦＴ５のゲート電極６にそれぞれ接続されており、前記複数の信号線１２は、前記ゲート絶縁膜７の上に形成され、各列の複数のＴＦＴ５のドレイン電極９にそれぞれ接続されている。
【００２４】
前記複数の画素電極４は、前記ゲート絶縁膜７の上に形成され、対応するＴＦＴ５のソース電極１０に接続されている。なお、この実施例では、前記複数の画素電極４をそれぞれ、画面の上下方向と平行な縦方向の幅と、前記画面の左右方向と平行な横方向の幅との比が略２：１の縦長の矩形形状に形成し、これらの画素電極４の縦方向の一側縁の中央部に前記ＴＦＴ５のソース電極１０を接続している。
【００２５】
また、図では省略しているが、前記後基板２の内面には、その板面上に前記複数の画素電極３の周縁部に対応させて形成され、前記複数の画素電極３の周縁部との間に、前記ゲート絶縁膜７を誘電層とする補償容量を形成する補償容量電極が設けられている。
【００２６】
さらに、前記後基板２の内面には、前記複数の信号線１２を覆うオーバーコート絶縁膜１３が設けられており、その上に、前記複数の画素電極４を覆って垂直配向膜１７が形成されている。
【００２７】
一方、前記前基板１の内面には、前記複数の画素の間の領域に対向させて形成された遮光膜１４と、前記複数の画素にそれぞれ対応させて形成された赤、緑、青の３色のカラーフィルタ１５Ｒ，１５Ｇ，１５Ｂが設けられ、前記カラーフィルタ１５Ｒ，１５Ｇ，１５Ｂの上に前記対向電極３が形成されており、その上に垂直配向膜１６が形成されている。
【００２８】
そして、前記一対の基板１，２は、前記複数の画素の配列領域を囲む図示しない枠状のシール材を介して接合されており、これらの基板１，２間の前記シール材で囲まれた領域に、負の誘電異方性を有するネマティック液晶からなる液晶層１８が封入されている。
【００２９】
また、前記一対の基板１，２の外面にそれぞれ設けられた一対の偏光板１９，２０は、前記複数の画素の電極３，４間に電界を印加しない無電界時の表示が黒になるように、それぞれの光学軸、つまり互いに直交する吸収軸と透過軸のいずれか一方、例えば吸収軸を、実質的に直交させて配置されている。
【００３０】
図１において、一点鎖線は、前記一対の偏光板１９，２０のうちの観察側に配置された前偏光板１９の吸収軸１９ａを示しており、この実施例では、前記前偏光板１９の吸収軸１９ａを画面の左右方向と平行にし、観察側とは反対側に配置された後偏光板２０の吸収軸（図示せず）を前記画面の上下方向と平行にしている。
【００３１】
さらに、この液晶表示素子は、前記複数の画素における前記電界による前記液晶分子１８ａの倒れ方向を複数の方向に規定し、前記複数の画素毎に、少なくとも、前記液晶分子１８ａが、前記一対の偏光板１９，２０のうちの一方の偏光板、例えば前記前偏光板１９の吸収軸１９ａに対して予め定めた第１の角度で交差する方向に倒れ配向する第１の領域４１ａ，４１ｂと、前記液晶分子１８ａが、前記前偏光板１９の吸収軸１９ａに対して前記第１の角度とは絶対値が異なる予め定めた第２の角度で交差する方向に倒れ配向する第２の領域４２ａ，４２ｂとを形成する倒れ方向規定手段を備えている。
【００３２】
前記倒れ方向規定手段は、前記後基板２の内面に設けられた複数の画素電極４それぞれに、前記電界による液晶分子１８ａの倒れ方向を異ならせる複数の領域４１ａ，４１ｂ，４２ａ，４２ｂにそれぞれ対応させて、予め定めたピッチで実質的に互いに平行に、且つ対応する前記領域４１ａ，４１ｂ，４２ａ，４２ｂの液晶分子１８ａの倒れ方向と実質的に直交する方向に沿わせて設けられた複数のスリット２１，２２，２３，２４と、他方の基板、つまり前基板１の内面に、前記画素の複数の領域４１ａ，４１ｂ，４２ａ，４２ｂにそれぞれ対応させ、且つ同じ領域に対応する前記複数のスリット２１，２２，２３，２４のピッチに対して実質的に１／２ピッチずれたピッチで前記スリット２１，２２，２３，２４と実質的に平行に設けられた複数の透明な凸条３１，３２，３３，３４とにより形成されている。
【００３３】
なお、前記複数の凸条３１，３２，３３，３４は、前記前基板１の内面に設けられた対向電極３の上に、感光性レジストにより、前記対向電極３側から液晶層１８側に向かって幅が小さくなる断面形状、例えば逆台形状の断面形状に形成されており、前記前基板１の内面の垂直配向膜１７は、前記凸条３１，３２，３３，３４を覆って形成されている。
【００３４】
前記倒れ方向規定手段は、前記複数の画素それぞれの電界による液晶分子１８ａの倒れ方向を、前記画素の前記複数の領域４１ａ，４１ｂ，４２ａ，４２ｂ毎に、前記複数のスリット２１，２２，２３，２４及び凸条３１，３２，３３，３４の長さ方向に対して実質的に直交する方向に規定する。
【００３５】
すなわち、前記一対の基板１，２間の間隙に封入された液晶層１８の液晶分子１８ａは、前記垂直配向膜１６，１７の配向性により、前基板１の内面に設けられた前記複数の凸条３１，３２，３３，３４の近傍以外の部分おいて、基板１，２面に対して実質的に垂直に配向する。
【００３６】
一方、前記複数の凸条３１，３２，３３，３４の近傍の液晶分子１８ａは、前記凸条３１，３２，３３，３４の頂面及び両側面に対して垂直に配向しようとするため、これらの凸条３１，３２，３３，３４に対応する部分の液晶分子１８ａは、前記凸条３１，３２，３３，３４を挟む一方の側と他方の側においてそれぞれ、前基板１側の液晶分子１８ａが、前記基板１，２の法線方向に対して、前記凸条３１，３２，３３，３４の長さ方向と実質的に直交する方向に沿って前記凸条３１，３２，３３，３４に向かう方向に斜めに傾いた状態に配向する。
【００３７】
そのため、前記画素電極４と対向電極３との間に電界を印加すると、前記画素の前記複数の領域４１ａ，４１ｂ，４２ａ，４２ｂ毎に、前記凸条３１，３２，３３，３４を挟む一方の側と他方の側においてそれぞれ、前記凸条３１，３２，３３，３４の近傍の斜めに傾いた状態に配向している液晶分子１８ａが、その傾きがさらに大きくなる方向に倒れ込み、それに連れて、他の領域の液晶分子１８ａが、液晶分子１８ａ相互の分子間力により倒れ方向を誘導され、前記凸条３１，３２，３３，３４の近傍の液晶分子１８ａの倒れ方向と同じ方向に倒れ込み配向する。
【００３８】
そして、前記複数の凸条３１，３２，３３，３４は、前記画素電極３に設けられた複数のスリット２１，２２，２３，２４のピッチに対して実質的に１／２ピッチずれたピッチ、つまり、隣合うスリット２１，２１間、２２，２２間、２３，２３間、２４，２４間の中央に１つの凸条３１，３２，３３，３４が対応するピッチで設けられているため、液晶分子１８ａは、前記画素の前記複数の領域４１ａ，４１ｂ，４２ａ，４２ｂ毎に、前記隣合うスリット２１，２１間、２２，２２間、２３，２３間、２４，２４間に対応する部分及び前記画素電極４の縁部と前記縁部に最も近いスリット２１，２２，２３，２４との間に対応する部分の液晶分子１８ａがそれぞれ、前記凸条３１，３２，３３，３４を挟む一方の側と他方の側においてそれぞれ、前記凸条３１，３２，３３，３４の長さ方向と実質的に直交する方向に沿って互いに逆向き（凸条３１，３２，３３，３４に向かう方向）に倒れ配向する。図１において、白抜きの太い矢印は、前記複数の領域４１ａ，４１ｂ，４２ａ，４２ｂそれぞれの液晶分子１８ａの倒れ方向を示している。
【００３９】
この液晶表示素子において、前記倒れ方向規定手段は、前記第１の領域４１ａ，４１ｂの液晶分子１８ａの倒れ方向を、前記前偏光板１９の吸収軸１９ａに対して実質的に４５°の角度で交差する方向に規定し、前記第２の領域４２ａ，４２ｂの液晶分子１８ａの倒れ方向を、前記前偏光板１９の吸収軸１０ａに対して実質的に６０°の角度で交差する方向に規定するように形成されている。
【００４０】
また、前記倒れ方向規定手段は、前記複数の画素毎に、液晶分子１８ａが前記前偏光板１９の吸収軸１９ａに対して前記４５°の第１の角度で交差する方向に倒れ配向する複数の第１の領域４１ａ，４１ｂと、液晶分子１８ａが前記前偏光板１９の吸収軸１９ａに対して前記６０°の第２の角度で交差する方向に倒れ配向する複数の第２の領域４２ａ，４２ｂとを、これらの領域４１ａ，４１ｂ，４２ａ，４２ｂのうちの少なくとも１つの第１の領域４１ａまたは４１ｂと少なくとも１つの第２の領域４２ａまたは４２ｂとを互いに隣接させて形成するように形成されている。
【００４１】
さらに、前記倒れ方向規定手段は、前記複数の第１の領域４１ａ，４１ｂのうちの少なくとも１つの領域の液晶分子１８ａの倒れ方向と、他の第１の領域の液晶分子１８ａの倒れ方向とをそれぞれ、前記前偏光板１９の吸収軸１９ａに対して一方の方向に前記４５°の第１の角度で交差する方向と、前記前偏光板１９の吸収軸１９ａに対して他方の方向に前記４５°の第１の角度で交差する方向とに規定し、前記複数の第２の領域４２ａ，４２ｂのうちの少なくとも１つの領域の液晶分子１８ａの倒れ方向と、他の第２の領域の液晶分子１８ａの倒れ方向とをそれぞれ、前記前偏光板１９の吸収軸１９ａに対して一方の方向に前記６０°の第２の角度で交差する方向と、前記前偏光板１９の吸収軸１９ａに対して他方の方向に前記６０°の第２の角度で交差する方向とに規定するように形成されている。
【００４２】
この実施例では、上記のように縦方向と横方向の幅の比が略２：１の縦長の矩形形状に形成された画素電極４に対応する形状の画素を、前記縦方向に実質的に４等分した４つの領域に区分し、複数の画素電極４にそれぞれ、前記４つの領域にそれぞれ対応させて複数のスリット２１，２２，２３，２４を設け、前基板１の内面に前記４つの領域にそれぞれ対応させて複数の凸条３１，３２，３３，３４を設けている。
【００４３】
そして、この実施例では、前記４つの領域のうちの図１において最も上の領域に対応する複数のスリット２１及び凸条３１を、前偏光板１９の吸収軸１９ａに対して観察側から見て右回り方向に４５°の方向に形成し、上から２番目の領域に対応する複数のスリット２２及び凸条３２を、前記前偏光板１９の吸収軸１９ａに対して観察側から見て左回り方向に４５°の方向に形成し、上から３番目の領域に対応する複数のスリット２３及び凸条３３を、前記前偏光板１９の吸収軸１９ａに対して観察側から見て右回り方向に３０°の方向に形成し、最も下の領域に対応する複数のスリット２４及び凸条３４を、前記前偏光板１９の吸収軸１９ａに対して観察側から見て左回り方向に３０°の方向に形成している。
【００４４】
なお、前記４つの領域にそれぞれ対応するスリット２１，２２，２３，２４は、画素電極４の周縁部及び隣合う領域との境界部に対応する部分を避けて設けられており、前記画素電極４の前記スリット２１，２２，２３，２４により区切られた複数の部分は、画素電極４の周縁部及び前記４つの領域相互の境界部に対応する部分において互いに導通している。
【００４５】
また、前記４つの領域にそれぞれ対応する凸条３１，３２，３３，３４は、その一端と他端がそれぞれ隣合う領域との境界部または画素の外周縁に対応する長さに形成されており、前記画素の最も上と２番目の領域にそれぞれ対応させて前記４５°の方向に設けられた複数のスリット２１，２２のうちの前記最も上と２番目の領域の境界部に向かって延びるスリットは、前記境界部に対応する部分において互いに連続し、前記画素の３番目と最も下の２つの領域にそれそれ対応させて前記６０°の方向に設けられた複数のスリット２３，２４のうちの前記２番目と最も下の領域の境界部に向かって延びるスリットは、前記境界部に対応する部分において互いに連続している。
【００４６】
すなわち、この実施例では、前記画素の４つの領域にそれぞれ対応する前記スリット２１，２２，２３，２４及び凸条３１，３２，３３，３４を上記の方向に設け、前記４つの領域のうちの前記最も上の領域と、前記上から２つ目の領域とにより、電界によって液晶分子１８ａが前記前偏光板１９の吸収軸１９ａに対して実質的に４５°の第１の角度で交差する方向に倒れ配向する第１の領域４１ａ，４１ｂを形成し、前記上から３つ目の領域と、前記最も下の領域とにより、電界によって液晶分子１８ａが前記前偏光板１９の吸収軸１９ａに対して実質的に６０°の第２の角度で交差する方向に倒れ配向する第２の領域４２ａ，４２ｂを形成し、さらに、前記最も上の第１の領域４１ａにおける液晶分子１８ａの倒れ方向を、前記前偏光板１９の吸収軸１９ａに対して観察側から見て左回り方向に前記４５°の角度で交差する方向に規定し、前記上から２つ目の第１の領域４１ｂにおける液晶分子１８ａの倒れ方向を、前記前偏光板１９の吸収軸１９ａに対して観察側から見て右回り方向に前記４５°の角度で交差する方向に規定し、前記上から３つ目の第２の領域４２ａにおける液晶分子１８ａの倒れ方向を、前記前偏光板１９の吸収軸１９ａに対して観察側から見て左回り方向に６０°の角度で交差する方向に規定し、前記最も下の第２の領域４２ｂにおける液晶分子１８ａの倒れ方向を、前記前偏光板１９の吸収軸１９ａに対して観察側から見て右回り方向に６０°の角度で交差する方向に規定している。
【００４７】
この液晶表示素子は、後基板２の内面の複数の画素電極４にそれぞれ設けられた前記複数のスリット２１，２２，２３，２４と、前基板の内面に設けられた前記複数の凸条３１，３２，３３，３４とからなる倒れ方向規定手段を備えることにより、複数の画素毎に、液晶分子１８ａが、前偏光板１９の吸収軸１９ａに対して予め定めた第１の角度で交差する方向に倒れ配向する第１の領域４１ａ，４１ｂと、液晶分子１８ａが、前記前偏光板１９の吸収軸１９ａに対して前記第１の角度とは絶対値が異なる予め定めた第２の角度で交差する方向に倒れ配向する第２の領域４２ａ，４２ｂとを形成しているため、前記前偏光板１９の吸収軸１９ａに対して前記第１の角度で交差する方向への液晶分子１８ａの倒れ配向に対応した第１の視野角特性と、前記前偏光板１９の吸収軸１９ａに対して前記第１の角度とは絶対値が異なる第２の角度で交差する方向への液晶分子１８ａの倒れ配向に対応した第２の視野角特性とをもっており、したがって、前記第１と第２の視野角特性とが相乗した良好な視野角特性を得ることができる。
【００４８】
また、この液晶表示素子は、電界による前記第１の領域４１ａ，４１ｂの液晶分子１８ａの倒れ方向を、前記前偏光板１９の吸収軸１９ａに対して実質的に４５°の角度で交差する方向に規定し、前記第２の領域４２ａ，４２ｂの液晶分子１８ａの倒れ方向を、前記前偏光板１９の吸収軸１０ａに対して実質的に６０°の角度で交差する方向に規定しているため、液晶表示素子の８つの視角に対して良好なコントラストと明るさの表示を行うことができ、より良好な視野角特性を得るとともに、明表示の輝度を高くすることができる。
【００４９】
すなわち、垂直配向型液晶表示素子の明表示の輝度は、前記前偏光板１９の吸収軸１９ａに対する液晶分子１８ａが倒れ配向する方向の角度が４５°のときに最も高く、前記前偏光板１９の吸収軸１９ａに対する液晶分子１８ａが倒れ配向する方向の角度が４５°よりも大きくなるか、或いは小さくなるのにともなって低下する。
【００５０】
上記実施例の液晶表示素子においては、前記第１の領域４１ａ，４１ｂの液晶分子１８ａが、前記前偏光板１９の吸収軸１９ａに対して実質的に４５°の角度で交差する方向に倒れ配向し、第２の領域４２ａ，４２ｂの液晶分子１８ａが、前偏光板１９の吸収軸１０ａに対して実質的に６０°角度で交差する方向に倒れ配向する。
【００５１】
そのため、前記第１の領域４１ａ，４１ｂの明表示の輝度は、上述したように最も高い輝度であり、また、前記第２の領域４２ａ，４２ｂの明表示の輝度は、前記第１の領域の明表示の輝度の約７５％の十分に高い輝度である。
【００５２】
そして、この液晶表示素子は、前記第１の領域４１ａ，４１ｂの総面積と、前記第２の領域４２ａ，４２ｂの総面積との比が略等しいため、１つの画素全体の明表示の輝度は、実質的に、前記第１の領域４１ａ，４１ｂの明表示の輝度と前記第２の領域４２ａ，４２ｂの明表示の輝度との平均値である。
【００５３】
図３は前記液晶表示素子の電圧−輝度特性図であり、Ａは、前記第１の領域４１ａ，４１ｂの電圧−輝度特性、Ｂは、前記第２の領域４２ａ，４２ｂの電圧−輝度特性、Ｃは、１つの画素全体の電圧−輝度特性を示している。なお、図３において、縦軸の輝度値は、入射光の輝度を１としたときの出射光の輝度である。
【００５４】
この電圧−輝度特性図のように、上記液晶表示素子は、１つの画素全体の明表示の輝度（第１の領域４１ａ，４１ｂの明表示の輝度と第２の領域４２ａ，４２ｂの明表示の輝度との平均値）は、前記第１の領域４１ａ，４１ｂの最も高い輝度の８５〜８７％であり、したがって、高輝度の表示を得ることができる。
【００５５】
また、上記液晶表示素子は、前記複数の画素毎に、前記２つの第１の領域４１ａ，４１ｂと、前記２つの第２の領域４２ａ，４２ｂとを、これらの領域４１ａ，４１ｂ，４２ａ，４２ｂのうちの１つの第１の領域（図１において上から２つ目の領域）４１ｂと１つの第２の領域（図１において上から３つ目の領域）４２ａとを互いに隣接させて形成しているため、より良好な視野角特性を得ることができる。
【００５６】
さらに、上記液晶表示素子は、前記後基板２の内面の複数の画素電極４にそれぞれ設けられた複数のスリット２１，２２，２３，２４と、前基板の内面に設けられた複数の凸条３１，３２，３３，３４とからなる倒れ方向規定手段を、前記２つの第１の領域４１ａ，４１ｂのうちの１つの領域４１ａの液晶分子１８ａの倒れ方向と、他の第１の領域４１ｂの液晶分子１８ａの倒れ方向とをそれぞれ、前偏光板１９の吸収軸１９ａに対して一方の方向に実質的に４５°の第１の角度で交差する方向と、前記前偏光板１９の吸収軸１９ａに対して他方の方向に前記実質的に４５°の第１の角度で交差する方向とに規定し、前記２つの第２の領域４２ａ，４２ｂのうちの１つの領域４２ａの液晶分子１８ａの倒れ方向と、他の第２の領域４２ｂの液晶分子１８ａの倒れ方向とをそれぞれ、前記前偏光板１９の吸収軸１９ａに対して一方の方向に実質的に６０°の第２の角度で交差する方向と、前記前偏光板１９の吸収軸１９ａに対して他方の方向に前記実質的に６０°の第２の角度で交差する方向とに規定するように形成しているため、さらに良好な視野角特性を得ることができる。
【００５７】
なお、上記第１の実施例の液晶表示素子において、電界による液晶分子１８ａの倒れ方向を、前偏光板１９の吸収軸１９ａに対して実質的に４５°の第１の角度で交差する方向に規定する第１の領域４１ａ，４１ｂと、前記前偏光板１９の吸収軸１９ａに対して実質的に６０°の第２の角度で交差する方向に規定する第２の領域４２ａ，５２ｂは、図１のような並び順に限らず、他の並び順で形成してもよい。
【００５８】
図４及び図５はそれぞれ上記第１の実施例の変形例を示す垂直配向型液晶表示素子の一方の基板（後基板）の１つの画素部の平面図であり、図４の変形例では、前記画素の４つの領域のうちの最も上の領域と、最も下の領域とにそれぞれ対応させて、前偏光板１９の吸収軸１９ａに対して観察側から見て右回り方向に４５°の方向のスリット２１及び凸条３１と、前記前偏光板１９の吸収軸１９ａに対して観察側から見て左回り方向に４５°の方向のスリット２２及び凸条３２とを設け、上から３つ目の領域と、上から２つ目の領域とにそれぞれ対応させて、前偏光板１９の吸収軸１９ａに対して観察側から見て右回り方向に３０°の方向のスリット２３及び凸条３３と、前記前偏光板１９の吸収軸１９ａに対して観察側から見て左回り方向に３０°の方向のスリット２４及び凸条３４とを設けている。
【００５９】
すなわち、この変形例は、前記画素の４つの領域のうちの前記最も上の領域と、前記最も下の領域とにより、電界によって液晶分子１８ａが前記前偏光板１９の吸収軸１９ａに対して実質的に４５°の第１の角度で交差する方向に倒れ配向する第１の領域４１ａ，４１ｂを形成し、前記上から２つ目の領域と、前記上から３つ目の領域とにより、電界によって液晶分子１８ａが前記前偏光板１９の吸収軸１９ａに対して実質的に６０°の第２の角度で交差する方向に倒れ配向する第２の領域４２ａ，４２ｂを形成し、さらに、前記最も上の第１の領域４１ａにおける液晶分子１８ａの倒れ方向を、前記前偏光板１９の吸収軸１９ａに対して観察側から見て左回り方向に前記４５°の角度で交差する方向に規定し、前記最も下の第１の領域４１ａにおける液晶分子１８ａの倒れ方向を、前記前偏光板１９の吸収軸１９ａに対して観察側から見て右回り方向に前記４５°の角度で交差する方向に規定し、前記上から２つ目の第２の領域４２ａにおける液晶分子１８ａの倒れ方向を、前記前偏光板１９の吸収軸１９ａに対して観察側から見て右回り方向に前記６０°の角度で交差する方向に規定し、前記上から３つ目の第２の領域４２ｂにおける液晶分子１８ａの倒れ方向を、前記前偏光板１９の吸収軸１９ａに対して観察側から見て左回り方向に６０°の角度で交差する方向に規定したものである。
【００６０】
なお、この変形例では、画素の最も上の領域と、最も下の領域とを、液晶分子１８ａの倒れ方向を前記前偏光板１９の吸収軸１９ａに対して４５°の角度で交差する方向に規定する第１の領域４１ａ，４１ｂとし、上から２番目の領域と、上から３番目の２つの領域とを、液晶分子１８ａの倒れ方向を前記前偏光板１９の吸収軸１９ａに対して３０°の角度で交差する方向に規定する第１の領域４２ａ，４２ｂとしているが、前記最も上の領域と、最も下の領域とを、液晶分子１８ａの倒れ方向を前記前偏光板１９の吸収軸１９ａに対して３０°の角度で交差する方向に規定する第２の領域４２ａ，４２ｂとし、前記上から２番目の領域と、上から３番目の２つの領域とを、液晶分子１８ａの倒れ方向を前記前偏光板１９の吸収軸１９ａに対して４５°の角度で交差する方向に規定する第１の領域４１ａ，４１ｂとしてもよい。
【００６１】
また、図５の変形例では、前記画素の４つの領域のうちの最も上の領域と、上から３つ目の領域とにそれぞれ対応させて、前偏光板１９の吸収軸１９ａに対して観察側から見て右回り方向に４５°の方向のスリット２１及び凸条３１と、前記前偏光板１９の吸収軸１９ａに対して観察側から見て左回り方向に４５°の方向のスリット２２及び凸条３２とを設け、最も下の領域と、上から２つ目の領域とにそれぞれ対応させて、前偏光板１９の吸収軸１９ａに対して観察側から見て右回り方向に３０°の方向のスリット２３及び凸条３３と、前記前偏光板１９の吸収軸１９ａに対して観察側から見て左回り方向に３０°の方向のスリット２４及び凸条３４とを設けている。
【００６２】
すなわち、この変形例では、前記画素の４つの領域のうちの前記最も上の領域と、前記上から３つ目の領域とにより、電界によって液晶分子１８ａが前記前偏光板１９の吸収軸１９ａに対して実質的に４５°の第１の角度で交差する方向に倒れ配向する第１の領域４１ａ，４１ｂを形成し、前記最も下の領域と、前記上から２つ目の領域とにより、電界によって液晶分子１８ａが前記前偏光板１９の吸収軸１９ａに対して実質的に６０°の第２の角度で交差する方向に倒れ配向する第２の領域４２ａ，４２ｂを形成し、さらに、前記最も上の第１の領域４１ａにおける液晶分子１８ａの倒れ方向を、前記前偏光板１９の吸収軸１９ａに対して観察側から見て左回り方向に前記４５°の角度で交差する方向に規定し、前記上から３つ目の第１の領域４１ａにおける液晶分子１８ａの倒れ方向を、前記前偏光板１９の吸収軸１９ａに対して観察側から見て右回り方向に前記４５°の角度で交差する方向に規定し、前記最も下の第２の領域４２ａにおける液晶分子１８ａの倒れ方向を、前記前偏光板１９の吸収軸１９ａに対して観察側から見て右回り方向に前記６０°の角度で交差する方向に規定し、前記上から２つ目の第２の領域４２ｂにおける液晶分子１８ａの倒れ方向を、前記前偏光板１９の吸収軸１９ａに対して観察側から見て左回り方向に６０°の角度で交差する方向に規定している。
【００６３】
なお、この変形例では、画素の最も上の領域と、上から３番目の領域とを、液晶分子１８ａの倒れ方向を前記前偏光板１９の吸収軸１９ａに対して４５°の角度で交差する方向に規定する第１の領域４１ａ，４１ｂとし、上から２番目の領域と、最も下の領域とを、液晶分子１８ａの倒れ方向を前記前偏光板１９の吸収軸１９ａに対して３０°の角度で交差する方向に規定する第１の領域４２ａ，４２ｂとしているが、前記最も上の領域と、上から３番目の領域とを、液晶分子１８ａの倒れ方向を前記前偏光板１９の吸収軸１９ａに対して３０°の角度で交差する方向に規定する第２の領域４２ａ，４２ｂとし、前記上から２番目の領域と、最も下の領域とを、液晶分子１８ａの倒れ方向を前記前偏光板１９の吸収軸１９ａに対して４５°の角度で交差する方向に規定する第１の領域４１ａ，４１ｂとしてもよい。
【００６４】
さらに、上記第１の実施例及び上記図４、図５の変形例では、前記第１の領域４１ａ，４１ｂにおける液晶分子１８ａの倒れ方向を、前偏光板１９の吸収軸１９ａに対して実質的に４５°の角度で交差する方向、前記第２の領域４２ａ，４２ｂにおける液晶分子１８ａの倒れ方向を、前記前偏光板１９の吸収軸１９ａに対して実質的に６０°の角度で交差する方向としたが、前記第１の領域４１ａ，４１ｂにおける液晶分子１８ａの倒れ方向は、前偏光板１９の吸収軸１９ａに対して４５°±５°の角度で交差する方向、前記第２の領域４２ａ，４２ｂにおける液晶分子１８ａの倒れ方向は、前記前偏光板１９の吸収軸１９ａに対して６０°±７．５°の角度で交差する方向であればよく、このようにすることにより、良好な視野角特性を得、しかも明表示の輝度を高くすることができる。
【００６５】
さらに、前記第２の領域４２ａ，４２ｂにおける液晶分子１８ａの倒れ方向は、前記第２の領域４２ａ，４２ｂに対応するスリット２３，２４及び凸条３３，３４を前偏光板１９の吸収軸１９ａに対して６０°±７．５°の方向に設けることにより、前記前偏光板１９の吸収軸１９ａに対して３０°±７．５°の角度で交差する方向に規定してもよく、その場合も上記実施例と同等の視野角特性及び明表示輝度を得ることができる。
【００６６】
また、上記第１の実施例及びその変形例では、各画素毎に、液晶分子１８ａが前偏光板１９の吸収軸１９ａに対して４５°±５°の角度で交差する方向に倒れ配向する２つの第１の領域４１ａ，４２ｂと、液晶分子１８ａが前記前偏光板１９の吸収軸１９ａに対して６０°±７．５°または３０°±７．５°の角度で交差する方向に倒れ配向する２つの第２の領域４２ａ，４２ｂとを形成しているが、１つの画素における前記第１の領域及び第２の領域の数は、３つ以上でもよい。
【００６７】
さらに、前記第１の領域及び第２の領域は、上記実施例の形状に限らず、他の形状、例えば矩形形状の画素を２つの対角線に沿って区分した三角形状等に形成してもよく、また、各画素毎の第１の領域４１ａ，４１ｂの総面積と、第２の領域４２ａ，４２ｂの総面積との比は、任意に設定すればよい。
【００６８】
（第２の実施形態）
図６はこの発明の第２の実施例を示す垂直配向型液晶表示素子の一方の基板（後基板）の１つの画素部の平面図である。なお、この実施例の液晶表示素子は、上記第１の実施例とは異なる倒れ方向規定手段を備えたものであり、他の構成は第１の実施例と同じであるから、重複する説明を省略する。
【００６９】
この実施例の垂直配向型液晶表示素子は、前記複数の画素毎に、液晶分子１８ａが、前記前偏光板１９の吸収軸１９ａに対して予め定めた第１の角度で交差する方向に倒れ配向する複数の第１の領域７１ａ，７１ｂと、液晶分子１８ａが、前記前偏光板１９の吸収軸１９ａに対して前記第１の角度とは絶対値が異なる予め定めた第２の角度で交差する方向に倒れ配向する複数の第２の領域７２ａ，７２ｂと、液晶分子１８ａが、前記前偏光板の吸収軸１９ａに対して前記第１及び第２の角度とは絶対値が異なる予め定めた第３の角度で交差する方向に倒れ配向する複数の第３の領域７３ａ，７３ｂとを、これらの領域７１ａ，７１ｂ，７２ａ，７２ｂ，７３ａ，７３ｂのうちの少なくとも１つの第１の領域７１ａまたは７１ｂと、少なくとも１つの第２の領域７２ａまたは７２ｂと、少なくとも１つの第３の領域７３ａまたは７３ｂとを、互いに隣接させて形成する倒れ方向規定手段を備えている。
【００７０】
この実施例において、前記倒れ方向規定手段は、前記第１の領域７１ａ，７１ｂの液晶分子１８ａの倒れ方向を、前記前偏光板１９の吸収軸１９ａに対して実質的に４５°の角度で交差する方向に規定し、前記第２の領域７２ａ，７２ｂの液晶分子１８ａの倒れ方向を、前記前偏光板１９の吸収軸１９ａに対して実質的に６０°の角度で交差する方向に規定し、前記第３の領域７３ａ，７３ｂの液晶分子１８ａの倒れ方向を、前記前偏光板１９の吸収軸１９ａに対して実質的に３０°の角度で交差する方向に規定するように形成されている。
【００７１】
前記倒れ方向規定手段は、後基板２の内面に設けられた複数の画素電極４それぞれに、電界による液晶分子１８ａの倒れ方向を異ならせる複数の領域７１ａ，７１ｂ，７２ａ，７２ｂ，７３ａ，７３ｂにそれぞれ対応させて、予め定めたピッチで実質的に互いに平行に、且つ対応する前記領域７１ａ，７１ｂ，７２ａ，７２ｂ，７３ａ，７３ｂの液晶分子１８ａの倒れ方向と実質的に直交する方向に沿わせて設けられた複数のスリット５１，５２，５３，５４，５５，５６と、他方の基板、つまり前基板１の内面に、前記画素の複数の領域７１ａ，７１ｂ，７２ａ，７２ｂ，７３ａ，７３ｂにそれぞれ対応させ、且つ同じ領域に対応する前記複数のスリット５１，５２，５３，５４，５５，５６のピッチに対して実質的に１／２ピッチずれたピッチで前記スリット５１，５２，５３，５４，５５，５６と実質的に平行に設けられた複数の透明な凸条６１，６２，６３，６４，６５，６６とにより形成れている。
【００７２】
さらに、前記倒れ方向規定手段は、前記複数の第１の領域７１ａ，７１ｂのうちの少なくとも１つの領域の液晶分子１８ａの倒れ方向と、他の第１の領域の液晶分子１８ａの倒れ方向とをそれぞれ、前記前偏光板１９の吸収軸１９ａに対して一方の方向に前記４５°の第１の角度で交差する方向と、前記前偏光板１９の吸収軸１９ａに対して他方の方向に前記４５°の第１の角度で交差する方向とに規定し、前記複数の第２の領域７２ａ，７２ｂのうちの少なくとも１つの領域の液晶分子１８ａの倒れ方向と、他の第２の領域の液晶分子１８ａの倒れ方向とをそれぞれ、前記前偏光板１９の吸収軸１９ａに対して一方の方向に前記６０°の第２の角度で交差する方向と、前記前偏光板１９の吸収軸１９ａに対して他方の方向に前記６０°の第２の角度で交差する方向とに規定し、前記複数の第３の領域７３ａ，７３ｂのうちの少なくとも１つの領域の液晶分子１８ａの倒れ方向と、他の第３の領域の液晶分子１８ａの倒れ方向とをそれぞれ、前記前偏光板１９の吸収軸１９ａに対して一方の方向に前記３０°の第３の角度で交差する方向と、前記前偏光板１９の吸収軸１９ａに対して他方の方向に前記３０°の第３の角度で交差する方向とに規定するように形成されている。
【００７３】
この実施例では、図６のように、縦方向と横方向の幅の比が略２：１の縦長の矩形形状に形成された画素電極４に対応する形状の画素の上半分を、この上半分の中央の斜め右上がり方向の帯状領域と、この帯状領域を挟む斜め右下と斜め左上の三角形状領域との３つの領域に区分し、前記画素の下半分を、この下半分の中央の斜め右下がり方向の帯状領域と、この帯状領域を挟む斜め右上と斜め左下の三角形状領域との３つの領域に区分し、複数の画素電極４にそれぞれ、前記上半分と下半分の合計６つの領域にそれぞれ対応させて複数のスリット５１，５２，５３，５４，５４，５５，５６を設け、前基板１の内面に前記６つの領域にそれぞれ対応させて複数の凸条６１，６２，６３，６４，６５，６６を設けている。
【００７４】
そして、この実施例では、前記画素の６つの領域のうちの前記上半分の中央の帯状領域に対応する複数のスリット５１及び凸条６１を、前偏光板１９の吸収軸１９ａに対して観察側から見て右回り方向に４５°の方向に形成し、前記下半分の中央の帯状領域に対応する複数のスリット５２及び凸条６２を、前偏光板１９の吸収軸１９ａに対して観察側から見て左回り方向に４５°の方向に形成し、前記上半分の斜め右下の三角形状領域に対応する複数のスリット５３及び凸条６３を、前偏光板１９の吸収軸１９ａに対して観察側から見て左回り方向に３０°の方向に形成し、前記下半分の斜め右上の三角形状領域に対応する複数のスリット５４及び凸条６４を、前偏光板１９の吸収軸１９ａに対して観察側から見て左回り方向に３０°の方向に形成し、前記上半分の斜め左上の三角形状領域に対応する複数のスリット５５及び凸条６５を、前偏光板１９の吸収軸１９ａに対して観察側から見て左回り方向に６０°の方向に形成し、前記下半分の斜め左下の三角形状領域に対応する複数のスリット５６及び凸条６６を、前偏光板１９の吸収軸１９ａに対して観察側から見て左回り方向に６０°の方向に形成している。
【００７５】
なお、前記上半分の３つの領域にそれぞれ対応する各スリット５１，５３，５５及び凸条６１，６２，６３と、前記下半分の３つの領域にそれぞれ対応する各スリット５２，５４，５６及び凸条６２，６４，６４のうちの隣合う領域の境界部に向かって延びるスリット及び凸条は、前記隣合う一方の領域と他方の領域のスリット同士及び凸条同士が前記隣合う領域の境界部に対応する部分において連続した形状に形成されている。
【００７６】
また、前記スリット５１，５２，５３，５４，５５、５６のうちの画素電極４の周縁部に向かって延びるスリットと、前記画素の上半分と下半分の境界部に向かって延びるスリットは、前記画素電極４の周縁部及び前記画素の上半分と下半分の境界部に対応する部分を避けて設けられており、前記画素電極４の前記スリット５１，５２，５３，５４，５５，５６により区切られた複数の部分は、画素電極４の周縁部及び前記上半分と下半分の境界部に対応する部分において互いに導通している。
【００７７】
すなわち、この実施例では、前記画素の６つの領域にそれぞれ対応する前記スリット５１，５２，５３，５４，５５，５６及び凸条６１，６２，６３，６４，６５．６６を上記の方向に設け、前記６つの領域のうちの前記上半分の中央の帯状領域と、前記下半分の中央の帯状領域とにより、電界によって液晶分子１８ａが前記前偏光板１９の吸収軸１９ａに対して実質的に４５°の第１の角度で交差する方向に倒れ配向する第１の領域７１ａ，７１ｂを形成し、前記上半分の右下の三角形状領域と、前記下半分の右上の三角形状領域とにより、電界によって液晶分子１８ａが前記前偏光板１９の吸収軸１９ａに対して実質的に６０°の第２の角度で交差する方向に倒れ配向する第２の領域７２ａ，７２ｂを形成し、前記上半分の左上の三角形状領域と、前記下半分の左下の三角形状領域とにより、電界によって液晶分子１８ａが前記前偏光板１９の吸収軸１９ａに対して実質的に３０°の第３の角度で交差する方向に倒れ配向する第３の領域７３ａ，７３ｂを形成し、さらに、前記上半分の中央の帯状領域７１ａにおける液晶分子１８ａの倒れ方向を、前記前偏光板１９の吸収軸１９ａに対して観察側から見て左回り方向に前記４５°の角度で交差する方向に規定し、前記下半分の中央の帯状領域７１ｂにおける液晶分子１８ａの倒れ方向を、前記前偏光板１９の吸収軸１９ａに対して観察側から見て右回り方向に前記４５°の角度で交差する方向に規定し、前記上半分の右下の三角形状領域７２ａにおける液晶分子１８ａの倒れ方向を、前記前偏光板１９の吸収軸１９ａに対して観察側から見て左回り方向に６０°の角度で交差する方向に規定し、前記下半分の右上の三角形状領域７２ｂの液晶分子１８ａの倒れ方向を、前記前偏光板１９の吸収軸１９ａに対して観察側から見て右回り方向に６０°の角度で交差する方向に規定し、前記上半分の左上の三角形状領域７３ａにおける液晶分子１８ａの倒れ方向を、前記前偏光板１９の吸収軸１９ａに対して観察側から見て左回り方向に３０°の角度で交差する方向に規定し、前記下半分の左下の三角形状領域７３ｂにおける液晶分子１８ａの倒れ方向を、前記前偏光板１９の吸収軸１９ａに対して観察側から見て右回り方向に３０°の角度で交差する方向に規定している。
【００７８】
この液晶表示素子は、複数の画素毎に、液晶分子１８ａが、前偏光板１９の吸収軸１９ａに対して予め定めた第１の角度で交差する方向に倒れ配向する第１の領域７１ａ，７１ｂと、液晶分子１８ａが、前記前偏光板１９の吸収軸１９ａに対して前記第１の角度とは絶対値が異なる予め定めた第２の角度で交差する方向に倒れ配向する第２の領域７２ａ，７２ｂと、液晶分子１８ａが、前記前偏光板１９の吸収軸１９ａに対して前記第１及び第２の角度とは絶対値が異なる予め定めた第３の角度で交差する方向に倒れ配向する第３の領域７３ａ，７３ｂとを形成しているため、前記前偏光板１９の吸収軸１９ａに対して前記第１の角度で交差する方向への液晶分子１８ａの倒れ配向に対応した第１の視野角特性と、前記前偏光板１９の吸収軸１９ａに対して前記第１の角度とは絶対値が異なる第２の角度で交差する方向への液晶分子１８ａの倒れ配向に対応した第２の視野角特性と、前記前偏光板１９の吸収軸１９ａに対して前記第１及び第２の角度とは絶対値が異なる第３の角度で交差する方向への液晶分子１８ａの倒れ配向に対応した第３の視野角特性とをもっており、したがって、前記第１と第２と第３の視野角特性とが相乗した良好な視野角特性を得ることができる。
【００７９】
また、この液晶表示素子は、電界による前記第１の領域７１ａ，７１ｂの液晶分子１８ａの倒れ方向を、前記前偏光板１９の吸収軸１９ａに対して実質的に４５°の角度で交差する方向に規定し、前記第２の領域７２ａ，７２ｂの液晶分子１８ａの倒れ方向を、前記前偏光板１９の吸収軸１０ａに対して実質的に６０°の角度で交差する方向に規定し、前記第３の領域７３ａ，７３ｂの液晶分子１８ａの倒れ方向を、前記前偏光板１９の吸収軸１０ａに対して実質的に３０°の角度で交差する方向に規定しているため、より良好な視野角特性を得るとともに、明表示の輝度を高くすることができる。
【００８０】
すなわち、この液晶表示素子は、液晶分子１８ａが前偏光板１９の吸収軸１９ａに対して実質的に４５°の角度で交差する方向に倒れ配向する第１の領域７１ａ，７１ｂの明表示の輝度が最も高い輝度であり、液晶分子１８ａが前偏光板１９の吸収軸１９ａに対して実質的に６０°の角度で交差する方向に倒れ配向する第２の領域７２ａ，７２ｂの明表示の輝度と、液晶分子１８ａが前偏光板１９の吸収軸１９ａに対して実質的に３０°の角度で交差する方向に倒れ配向する第３の領域７３ａ，７３ｂの明表示の輝度がそれぞれ、前記第１の領域の明表示の輝度の約７５％の十分に高い輝度であるため、画素全体の明表示の輝度を十分に高くすることができる。
【００８１】
なお、この実施例の液晶表示素子においては、各画素毎の第１の領域７１ａ，７１ｂと第２の領域７２ａ，７２ｂと第３の領域７３ａ，７３ｂの面積をそれぞれ、前記第１の領域７１ａ，７１ｂの総面積をＳ１、前記第２の領域７２ａ，７２ｂの総面積をＳ２、前記第３の領域７３ａ，７３ｂの総面積をＳ３としたとき、これらの総面積Ｓ１，Ｓ２，Ｓ３が、
Ｓ１＞Ｓ２
Ｓ１＞Ｓ３
Ｓ１＜Ｓ２＋Ｓ３
Ｓ２≒Ｓ３
の関係になるように設定するのが好ましく、このようにすることにより、前記第１と第２と第３の視野角特性とが相乗した良好な視野角特性を得るともに、画素全体の明表示の輝度を高くすることができる。
【００８２】
また、この液晶表示素子は、複数の画素毎に、前記画素の上半分の第１の領域７１ａと第２及び第３の領域７２ａ，７３ａとを互いに隣接させ、前記画素の下半分の第１の領域７１ｂと第２及び第３の領域７２ｂ，７３ｂとを互いに隣接させて形成しているため、より良好な視野角特性を得ることができる。
【００８３】
さらに、この液晶表示素子は、前記画素の上半分と下半分の２つの第１の領域７１ａ，７１ｂのうちの１つの領域７１ａの液晶分子１８ａの倒れ方向と、他の第１の領域７１ｂの液晶分子１８ａの倒れ方向とをそれぞれ、前偏光板１９の吸収軸１９ａに対して一方の方向に実質的に４５°の第１の角度で交差する方向と、前記前偏光板１９の吸収軸１９ａに対して他方の方向に前記実質的に４５°の第１の角度で交差する方向とに規定し、前記画素の上半分と下半分の２つの第２の領域７２ａ，７２ｂのうちの１つの領域７２ａの液晶分子１８ａの倒れ方向と、他の第２の領域７２ｂの液晶分子１８ａの倒れ方向とをそれぞれ、前記前偏光板１９の吸収軸１９ａに対して一方の方向に実質的に６０°の第２の角度で交差する方向と、前記前偏光板１９の吸収軸１９ａに対して他方の方向に前記実質的に６０°の第２の角度で交差する方向とに規定し、前記画素の上半分と下半分の２つの第３の領域７３ａ，７３ｂのうちの１つの領域７３ａの液晶分子１８ａの倒れ方向と、他の第３の領域７３ｂの液晶分子１８ａの倒れ方向とをそれぞれ、前記前偏光板１９の吸収軸１９ａに対して一方の方向に実質的に６０°の第２の角度で交差する方向と、前記前偏光板１９の吸収軸１９ａに対して他方の方向に前記実質的に６０°の第２の角度で交差する方向とに規定しているため、さらに良好な視野角特性を得ることができる。
【００８４】
なお、この実施例では、前記第１の領域７１ａ，７１ｂにおける液晶分子１８ａの倒れ方向を、前偏光板１９の吸収軸１９ａに対して実質的に４５°の角度で交差する方向、前記第２の領域７２ａ，７２ｂにおける液晶分子１８ａの倒れ方向を、前記前偏光板１９の吸収軸１９ａに対して実質的に６０°の角度で交差する方向、前記第３の領域７３ａ，７３ｂにおける液晶分子１８ａの倒れ方向を、前記前偏光板１９の吸収軸１９ａに対して実質的に３０°の角度で交差する方向としたが、前記第１の領域７１ａ，７１ｂにおける液晶分子１８ａの倒れ方向は、前偏光板１９の吸収軸１９ａに対して４５°±５°の角度で交差する方向、前記第２の領域７２ａ，７２ｂにおける液晶分子１８ａの倒れ方向は、前記前偏光板１９の吸収軸１９ａに対して６０°±７，５°の角度で交差する方向、前記第３の領域７３ａ，７３ｂにおける液晶分子１８ａの倒れ方向は、前記前偏光板１９の吸収軸１９ａに対して３０°±７，５°の角度で交差する方向であればよく、このようにすることにより、良好な視野角特性を得、しかも明表示の輝度を高くすることができる。
【００８５】
この第２の実施例の液晶表示素子において、複数の画素電極３に設けるスリット５１，５２，５３，５４，５５，５６は、図６のような、画素の上半分の３つの領域にそれぞれ対応するスリット５１，５３，５５が互いに連続し、画素の下半分の３つの領域にそれぞれ対応するスリット５２，５４，５６が互いに連続した形状に限らず、例えば、各領域にそれぞれ対応させて、隣合う領域との境界部に対応する部分を避けて形成し、前記画素電極４の前記スリット５１，５２，５３，５４，５５，５６により区切られた複数の部分を、前記隣合う領域の境界部に対応する部分において導通させてもよい。
【００８６】
また、この液晶表示素子において、電界による液晶分子１８ａの倒れ方向を、前偏光板１９の吸収軸１９ａに対して実質的に４５°の第１の角度で交差する方向に規定する第１の領域７１ａ，７１ｂと、前記前偏光板１９の吸収軸１９ａに対して実質的に６０°の第２の角度で交差する方向に規定する第２の領域７２ａ，７２ｂと、前記前偏光板１９の吸収軸１９ａに対して実質的に３０°の第２の角度で交差する方向に規定する第３の領域７３ａ，７３ｂは、図６のような並び順に限らず、他の並び順で形成してもよい。
【００８７】
さらに、前記各領域７１ａ，７１ｂ，７２ａ，７２ｂ，７３ａ，７３ｂの形状は、図６のような形状に限らず、他の形状、例えば矩形形状等に形成してもよく、また、各画素毎の第１の領域７１ａ，７１ｂの総面積と、第２の領域７２ａ，７２ｂの総面積と、第３の領域７３ａ，７３ｂの総面積との比は、任意に設定すればよい。
【００８８】
（他の実施形態）
なお、上記第１及び第２の実施例では、電界による液晶分子１８ａの倒れ方向を、前偏光板１９の吸収軸１９ａを規準として設定しているが、前記液晶分子１８ａの倒れ方向は、前偏光板１９の透過軸を規準として設定しても、或いは後偏光板２０の吸収軸と透過軸のいずれか一方を規準として設定してもよく、その場合も、前記液晶分子１８ａの倒れ方向を、規準軸（前偏光板１９の透過軸または後偏光板２０の吸収軸と透過軸のいずれか一方）に対して４５°±５°の第１の角度で交差する方向と、前記規準軸に対して６０°±５°または３０°±５°の第２の角度で交差する方向、或いは、前記規準軸に対して４５°±５°の第１の角度で交差する方向と、前記規準軸に対して６０°±５°の第１の角度で交差する方向と、前記規準軸に対して３０°±５°の第３の角度で交差する方向とに規定することにより、上記第１及び第２の実施例と同じ効果を得ることができる。
【図面の簡単な説明】
【００８９】
【図１】この発明の第１の実施例を示す垂直配向型液晶表示素子の一方の基板の一部分の平面図。
【図２】前記液晶表示素子の図１のII−II線に沿う断面図。
【図３】前記液晶表示素子の電圧−輝度特性図。
【図４】第１の実施例の変形例を示す垂直配向型液晶表示素子の一方の基板の１つの画素部の平面図。
【図５】第１の実施例の他の変形例を示す垂直配向型液晶表示素子の一方の基板の１つの画素部の平面図。
【図６】この発明の第２の実施例を示す垂直配向型液晶表示素子の一方の基板の１つの画素部の平面図。
【符号の説明】
【００９０】
２…基板、３…対向電極、４…画素電極、５…ＴＦＴ、１１…走査線、１２…信号線、１５Ｒ，１５Ｇ，１５Ｂ…カラーフィルタ、１６，１７…垂直配向膜、１８…液晶層、１８ａ…液晶分子、１９，２０…偏光板、１９ａ…吸収軸、２１，２２，２３，２４…スリット、３１，３２，３３，３４…凸条、４１ａ，４１ｂ…第１の領域、４２ａ，４２ｂ…第１の領域、５１，５２，５３，５４５５，５６…スリット、６１，６２，６３，６４，６５，６６…凸条、７１ａ，７１ｂ…第１の領域、７２ａ，７２ｂ…第１の領域、７３ａ，７３ｂ…第３の領域。
【図１】
2010008693.tif 000003
【図２】
2010008693.tif 000004
【図３】
2010008693.tif 000005
【図４】
2010008693.tif 000006
【図５】
2010008693.tif 000007
【図６】
2010008693.tif 000008